(57)【特許請求の範囲】
【請求項１】
物体又は試料の特性を特定するシステムであって、
−少なくとも第１および第２の送信手段（１１，１２）であって、前記第１の送信手段（１１）は第１の電磁波（Ｔ１）を前記物体（２）に向けて送信するように構成され、前記第２の送信手段（１２）は第２の電磁波（Ｔ２）を前記物体（２）に向けて送信するように構成されている、少なくとも第１および第２の送信手段（１１，１２）と、
−前記物体（２）からの電磁波を受信する少なくとも１つの受信手段（１３）であって、当該受信手段（１３）は前記物体（２）からの前記電磁波を受信すると受信器信号を生成する、少なくとも１つの受信手段（１３）と、
を備え、
−前記第１の送信手段（１１）は前記第１の電磁波（Ｔ１）が第１の変調周波数で変調されるように構成され、前記第２の送信手段（１２）は前記第２の電磁波（Ｔ２）が第２の変調周波数で変調されるように構成され、前記第１の変調周波数が前記第２の変調周波数とは異なり、
−前記第１および前記第２の送信手段（１１，１２）は、前記受信器信号のうちの前記第１の電磁波（Ｔ１）により惹起された部分が前記受信器信号のうちの前記第２の電磁波（Ｔ２）により惹起された部分から前記受信器信号を復調することによって分離可能であるように、前記第１および前記第２の電磁波（Ｔ１，Ｔ２）が相異なって変調されるように構成され、前記第１及び前記第２の送信手段並びに前記受信手段の相対的な位置、さらには、前記送信手段及び前記受信手段それぞれの送信および／または受信特性が既知であるシステムにおいて、さらに、
−前記受信器信号を用いて、さらに、前記受信器信号のうちの前記第１の電磁波（Ｔ１）により惹起された部分および前記第２の電磁波（Ｔ２）により惹起された部分であって前記分離された部分を用いて、前記物体（２）の二次元と三次元のいずれか一方または両方の再構成を生成するように構成された評価手段、
を備え、さらに、
光ビート信号を生成するビート信号生成源（３）と、
前記光ビート信号を、前記第１の送信手段（１１）、前記第２の送信手段（１２）および前記受信手段（１３）のいずれか１つまたは任意の組合せに伝送する光伝送装置（４）と、
を備え、
前記第１の送信手段（１１）および前記第２の送信手段（１２）は、前記光ビート信号を受け取るとテラヘルツ波を生成するように構成され、前記受信手段（１３）は、前記光ビート信号の一部を受け取り、当該一部を用いて受信器信号を生成するように構成されることを特徴とする、システム。
【請求項２】
請求項１に記載のシステムにおいて、前記第１および前記第２の送信手段（１１，１２）は、前記第１の電磁波（Ｔ１）と前記第２の電磁波（Ｔ２）のいずれか一方または両方が、振幅、周波数および位相のいずれか１つまたは任意の組合せについて変調されるように構成されている、システム。
【請求項３】
請求項１または２に記載のシステムにおいて、前記第１の電磁波（Ｔ１）と前記第２の電磁波（Ｔ２）のいずれか一方または両方が、テラヘルツ波を生成するように構成されている、システム。
【請求項４】
請求項１から３のいずれか一項に記載のシステムにおいて、前記第１の電磁波（Ｔ１）が第１の連続電磁波を送信するように構成され、さらに、または、代わりに、前記第２の電磁波（Ｔ２）が、第２の連続電磁波を送信するように構成されている、システム。
【請求項５】
請求項１から４のいずれか一項に記載のシステムにおいて、さらに、
前記受信器信号を復調する復調装置、
を備える、システム。
【請求項６】
請求項１から５のいずれか一項に記載のシステムにおいて、前記第１および前記第２の送信手段（１１，１２）と前記受信手段（１３）のいずれか一方または両方が、さらなる送信手段と受信手段のいずれか一方または両方を含むアレイに属する、システム。
【請求項７】
物体又は試料の特性を特定する方法であって、
−第１の電磁波（Ｔ１）を前記物体（２）に向けて送信する過程と、
−第２の電磁波（Ｔ２）を前記物体（２）に向けて送信する過程と、
−前記物体（２）からの電磁波を受信して、前記物体（２）からの当該電磁波を受信すると受信器信号を生成する過程と、
−前記受信器信号のうちの前記第１の電磁波（Ｔ１）により惹起された部分が前記受信器信号のうちの前記第２の電磁波（Ｔ２）により惹起された部分から前記受信器信号を復調することによって分離可能であるように、前記第１および前記第２の電磁波（Ｔ１，Ｔ２）を相異なって変調する過程であって、前記第１の電磁波（Ｔ１）を前記物体（２）に向けて送信するように構成されている第１の送信手段及び前記第２の電磁波（Ｔ２）を前記物体（２）に向けて送信するように構成されている第２の送信手段並びに前記物体（２）からの前記電磁波を受信すると受信器信号を生成する受信手段の相対的な位置、さらには、前記第１および第２の送信手段及び前記受信手段それぞれの送信および／または受信特性が既知である過程と、
を備える、方法において、さらに、
−前記受信器信号を用いて、さらに、前記受信器信号のうちの前記第１の電磁波（Ｔ１）により惹起された部分および前記第２の電磁波（Ｔ２）により惹起された部分であって前記分離された部分を用いて、前記物体（２）の二次元と三次元のいずれか一方または両方の再構成を生成する過程、
を備え、
−前記第１の送信手段（１１）は前記第１の電磁波（Ｔ１）が第１の変調周波数で変調されるように構成され、前記第２の送信手段（１２）は前記第２の電磁波（Ｔ２）が第２の変調周波数で変調されるように構成され、前記第１の変調周波数が前記第２の変調周波数とは異なり、
当該物体又は試料の特性を特定する方法を使用するシステムにおいて、
光ビート信号を生成するビート信号生成源（３）と、
前記光ビート信号を、前記第１の送信手段（１１）、前記第２の送信手段および前記受信手段（１３）のいずれか１つまたは任意の組合せに伝送する光伝送装置（４）と、
を備え、
前記第１の送信手段（１１）および前記第２の送信手段（１２）は、前記光ビート信号を受け取るとテラヘルツ波を生成するように構成され、前記受信手段（１３）は、前記光ビート信号の一部を受け取り、当該一部を用いて受信器信号を生成するように構成されることを特徴とする、方法。
【発明の詳細な説明】
【技術分野】
【０００１】
本発明は、請求項１に記載の物体又は試料の特性を特定するシステム、および請求項１０に記載の物体又は試料の特性を特定する方法に関する。
【背景技術】
【０００２】
電磁放射が、材料や物体の非破壊試験に広く利用されている。例えば、おおよそ１００ＧＨｚ〜１０ＴＨｚなどの周波数を有するテラヘルツ放射が使用される。ポリマー、セラミックスおよび化合物などの現代の数多くの材料はこの種の放射を少なくともある程度透過させるので、電磁波を用いて例えば欠陥（および欠陥の深さ）ならびに／または層厚等が特定可能である。
【０００３】
ただし、大半のテラヘルツシステムはパルス方式のテラヘルツ放射を用いる。この放射では、当該パルスの伝達時間を利用して当該パルスの発生位置を特定し、空間分解測定が可能である。このようにして、これらの測定は、例えば物体の三次元再構成等を提供するのに利用され得る。しかし、パルス方式のシステムでは、空間的に限られて決まった時点の測定しか可能でないか、又は大型の物体が検査される場合には必要なデータ取集時間が長くなる。
【発明の概要】
【発明が解決しようとする課題】
【０００４】
本発明により解決される課題は、測定がより容易に且つより柔軟に実行されることを可能にするシステムおよび方法を提供することである。
【課題を解決するための手段】
【０００５】
本発明によれば、物体又は試料の特性を特定するシステムが提供され、このシステムは、
−少なくとも第１および第２の送信手段であって、前記第１の送信手段は第１の電磁波を前記物体に向けて送信するように構成され、前記第２の送信手段は第２の電磁波を前記物体に向けて送信するように構成されている、少なくとも第１および第２の送信手段と、
−前記物体からの電磁波を受信する少なくとも１つの受信手段であって、当該受信手段は前記物体からの前記電磁波を受信すると受信器信号を生成する、少なくとも１つの受信手段と、
を備え、
−前記第１および前記第２の送信手段は、前記受信器信号のうちの前記第１の電磁波により惹起された部分が当該受信器信号のうちの前記第２の電磁波により惹起された部分から前記受信器信号を復調することによって分離可能であるように、前記第１および前記第２の電磁波が相異なって変調されるように構成されており、
当該システムが、さらに、
−前記受信器信号を用いて前記物体の二次元と三次元のいずれか一方または両方の再構成を生成するように構成された評価手段、
を備える。
【０００６】
このため、本発明によれば、前記第１および前記第２の電磁波を相異なって変調することにより、前記受信器信号のうちの（前記第１の送信手段により送信された）前記第１の電磁波に由来する部分と、前記受信器信号のうちの（前記第２の送信手段により生成された）前記第２の電磁波に由来する部分とが識別されることが可能である。したがって、前記第１及び前記第２の送信手段並びに前記受信手段の相対的な位置、さらには、前記送信手段及び前記受信手段それぞれの送信および／または受信特性（例えば、それぞれの送信および受信方向等）、ひいては、前記電磁波の伝播経路が既知であれば、前記物体の特性が当該物体における所与の位置に対応付けられることが可能である。これにより、前記物体の空間的再構成（例えば、当該物体の輪郭等）または前記物体の他の空間分解キャラクタリゼーション（spatially resolved characterization）が可能である。例えば、前記受信器信号の振幅および／または位相が、前記物体の特性（例えば、欠陥の存在および／または位置等）を特定するために評価される。本発明に係るシステムは、（例えば、液体の）試料の特性を特定するのに（例えば、当該試料の組成および／または濃度を特定するのに）使用されてもよい。
【０００７】
一般的に、本発明にかかるシステムは、例えば産業用途等に用いられる構成部材（例えば、塗装等）の非破壊・非接触試験に使用されてもよい。試験は、導電性の構成部材やその一部、さらには、繊維強化材料（例えば、繊維強化プラスチック等）のような非導電性構成部材に実行されてもよい。また、光学的に不透明な材料が検査されてもよい。本発明にかかるシステムによって、その上、温度に依存しない測定および多層構造の解析が（特には、例えばマイクロメートル領域等の高い空間分解能で）可能になる。また、１つの側からのアクセスしか可能でない構成部材が試験されてもよい。さらに、製造ラインの部品（例えば、塗装済みの繊維強化部品等）などの移動物体を検査することも可能である。
【０００８】
前記第１および／または前記第２の送信手段は、電磁放射を生成する放射送信部および前記電磁放射に変調を施すように構成された変調部を含んでもよい。
【０００９】
具体的に述べると、前記第１および前記第２の送信手段は、前記第１および前記第２の電磁波が前記物体と相互作用して当該相互作用により前記物体から電磁波が前記受信手段に向けて伝播するように構成及び配置されている。例えば、前記第１および／または前記第２の電磁波は前記物体により少なくとも部分的に吸収および／または反射されて、前記第１および／または前記第２の電磁波のうちの透過した部分および／または反射した部分が前記受信手段により少なくとも一部分は検出される。
【００１０】
なお、前記第１および前記第２の電磁波の周波数は一定でなくともよい。例えば、前記第１および／または前記第２の電磁波の周波数は、測定中に変化される。例えば、前記電磁波の周波数は、所与の周波数範囲内で（例えば、当該周波数のランプ状変化を用いて）変化されることが可能である。これは、前記第１および前記第２の電磁波が前述のように変調される場合、当該第１および／または当該第２の電磁波の搬送波周波数が変化され得ることを意味する。
【００１１】
本発明の他の実施形態において、前記第１の送信器は前記第１の電磁波が第１の変調周波数で変調されるように構成されており、前記第２の電磁波が第２の変調周波数で変調されて、前記第１の変調周波数が前記第２の変調周波数と異なる。前記変調周波数が相異なるものであることにより、前記受信器信号のうちの前記第１の電磁波により生じた部分が、前記受信器信号のうちの前記第２の電磁波により生じた部分から区別されることが可能である。
【００１２】
例えば、前記第１および前記第２の送信手段は、前記第１および／または前記第２の電磁波が振幅および／または周波数および／または位相について変調されるように構成されている。具体的に述べると、前述したように相異なる変調周波数が使用される。しかしながら、本発明は特定の変調方式に限定されず、振幅および／または周波数および／または位相以外についての変調方式が採用されてもよい。
【００１３】
なお、放射される前記電磁波の方向は、前記物体を走査するように測定中に変化されてもよい。また、前述したように、搬送波周波数が、例えばレーダ検出等から知られているように（例えば、各々の側定位置ごとに）測定中に変化されてもよい。
【００１４】
本発明の他の変形例では、前記第１および／または前記第２の送信手段が、テラヘルツ波を生成するように構成されている。具体的に述べると、前記第１および／または前記第２の送信器が、１００ＧＨｚ〜１０ＴＨｚの周波数範囲の電磁波を生成するように構成されている。当然ながら、他の周波数又は周波数範囲が使用されてもよい。
【００１５】
また、前記第１および／または前記第２の送信手段は、第１および第２の連続電磁波（「ｃｗ」波）をそれぞれ送信するように構成されてもよい。例えば、前記送信手段は、光ビート信号を受け取るとテラヘルツ放射を生成する光電デバイスである。当該光ビート信号は波長が僅かに異なる２つのレーザの放射を重畳することによって生成されてもよい。当該レーザはｃｗテラヘルツ放射が生成されるようにｃｗ放射を出力する。第１および第２の連続電磁波を使用することにより、例えば、広い領域を同時に検出することが可能となるので、大型の物体が検査される場合に測定時間を短くすることができる。
【００１６】
本発明の他の変形例では、前記システムが、さらに、前記受信器信号を復調する復調装置を備えてもよい。復調された前記受信器信号は、その各部分を前述したように前記第１または前記第２の電磁波に対応付けるのに使用される。
【００１７】
本発明にかかるシステムは、さらに、前記受信器信号を用いて前記物体の特性を特定する評価手段を備える。例えば、前記評価手段は、プログラム化されたコンピュータ、プログラム化されたマイクロプロセッサなどのプログラム化されたデバイスにより実現される。前記評価手段は、復調された前記受信器信号を用いて、当該受信器信号の各部分の振幅および／または位相を解析し、例えば前記第１および前記第２の電磁波の前記物体との（例えば、当該物体を通過する伝播経路に沿った）相互作用についての情報を生成する。
【００１８】
また、前記評価手段は、前記受信器信号を用いて前記物体の二次元および／または三次元の再構成を生成するように構成されている。前記評価手段は、また、断層撮影システムと同様に（すなわち、断層撮影アルゴリズムを用いて）、前記物体の複数の二次元スライスを生成し、当該二次元スライスを用いて前記物体の三次元表現を再構成するように構成されることも可能である。したがって、本発明にかかるシステムは、断層撮影システムであってもよい。
【００１９】
本発明にかかるシステムは、さらに、前述した光ビート信号を生成するビート信号生成源を備えてもよい。前記システムは、さらに、前記光ビート信号を前記第１および前記第２の送信手段に伝送する光伝送装置を備えてもよい。前記第１および／または前記第２の送信手段は、前記光ビート信号を受け取るとテラヘルツ波を生成するように構成されてもよい。同様に、前記受信手段も前記光ビート信号の一部を、前記光伝送装置を介して受け取ってもよい。前記受信器信号は、前記光ビート信号の当該一部を用いて生成される。
【００２０】
例えば、前記光伝送装置は、２つのレーザの放射を（例えば、合成器を用いて）重畳させることによって生成された前記光ビート信号を、少なくとも２つの部分ビート信号に分割し、一方の当該部分ビート信号が前記第１および／または前記第２の送信手段に供給されて、他方の当該部分ビート信号が前記受信手段に供給される。前記光伝送装置は、さらに、前記部分ビート信号の少なくとも１つの位相を変更する位相変更装置を含んでもよい。前記レーザの放射、前記光ビート信号および前記部分光ビート信号は、光導波路（例えば、光ファイバ等）を介して伝送されてもよい。
【００２１】
好適な光ビート信号生成源は、例えば米国特許出願公開第２０１０／００８０５０５号明細書、および欧州特許出願公開第２５０９１７３号明細書等に記載されており、これらの特許出願公開公報は前記ビート信号生成源、前記送信手段及び前記受信手段の一般設計に関し、参照をもって本明細書に取り入れたものとする。具体的に述べると、前記送信手段および／または前記受信手段は、前記光ビート信号を受け取る感光性の高速半導体（光導電体）を含み、当該光導電体がアンテナに接続されている。前記受信手段を用いたテラヘルツ波の検出は、例えばホモダイン検出法を利用して実行される。なお、当然ながら、本発明は、前記電磁波（特には、テラヘルツ波）を完全に電気的に（すなわち、光ビート生成源を使用することなく）生成／検出する送信手段及び受信手段も包含する。
【００２２】
また、前記第１および前記第２の送信手段（例えば、テラヘルツ送信手段）、ならびに／あるいは、前記受信手段（例えば、テラヘルツ受信手段）は、さらなる送信器および／または受信器を含むアレイに属する。また、複数の（３つ以上の）送信手段を含む送信アレイおよび／または複数の受信手段を含む受信アレイが設けられることも可能である。ただし、複数の送信手段と複数の受信手段の両方を含む複合アレイが使用されてもよい。前記送信／受信アレイ（アンテナアレイ）は、自動車部品、航空機部品などの大型の物体を検査するために、かつ／あるいは、測定速度を上げるために使用されてもよい。具体的に述べると、前記送信および／または前記受信アレイは、連続テラヘルツ波を送信／受信するように構成されている。送信アレイおよび／または受信アレイのパルス方式の動作は高額になり得るため、パルス方式のアレイシステムを産業用途に応用することは困難となり得る。
【００２３】
本発明は、さらに、物体又は試料の特性を（特には前述したシステムを用いて）特定する方法に関する。この方法は、
−第１の電磁波を前記物体に向けて送信する過程と、
−第２の電磁波を前記物体に向けて送信する過程と、
−前記物体からの電磁波を受信して、前記物体からの当該電磁波を受信すると受信器信号を生成する過程と、
−前記受信器信号のうちの前記第１の電磁波により惹起された部分が前記受信器信号のうちの前記第２の電磁波により惹起された部分から前記受信器信号を復調することによって分離可能であるように、前記第１および前記第２の電磁波を相異なって変調する過程と、
−前記受信器信号を用いて前記物体の二次元および／または三次元の再構成を生成する過程と、
を備える。
【００２４】
前記方法は、さらに、本発明にかかるシステムに関して前述したように前記受信器信号を評価する過程を備えてもよい。当然ながら、前記システムの前述した実施形態は、本発明にかかる方法を改良するのにも同様に適用されることが可能である。
【図面の簡単な説明】
【００２５】
【図１】本発明の一実施形態におけるシステムを示す図である。
【発明を実施するための形態】
【００２６】
以下では、本発明の一実施形態について、図面を参照しながら説明する。
【００２７】
図１に、本発明の一実施形態に係るシステム１を示す。システム１は、物体（試験対象の装置（ＤＵＴ）２）の特性を特定するように構成されている。システム１は、第１および第２のテラヘルツ送信手段１１，１２を備える。第１のテラヘルツ送信手段１１は、（コヒーレントな）第１の連続テラヘルツ波Ｔ１の形態の第１の電磁波を送信するように構成されており、第２の送信手段１２は、（コヒーレントな）第２の連続テラヘルツ波Ｔ２の形態の第２の電磁波を生成するように構成されている。第１のテラヘルツ波Ｔ１と第２のテラヘルツ波Ｔ２の両方が、ＤＵＴ２に向けて送信される。
【００２８】
システム１は、さらに、ＤＵＴ２からの電磁波を受信するテラヘルツ受信手段１３を備える。受信手段１３は、ＤＵＴ２からの電磁波を受信すると受信電気信号を生成する。図１では、受信手段１３がＤＵＴ２の後方に配置されているため、当該受信手段１３は、テラヘルツ波Ｔ１，Ｔ２のうちのＤＵＴ２を透過した部分を主として、又は当該部分のみを検出する。しかしながら、受信手段１３が、テラヘルツ波Ｔ１，Ｔ２のうちの反射した部分またはテラヘルツ波Ｔ１，Ｔ２のうちの反射した部分と透過した部分との両方を受信するように配置されることも可能である。また、受信手段１３は、テラヘルツ波Ｔ１，Ｔ２によりＤＵＴ２で惹起された例えば散乱放射や蛍光放射等の他の放射を検出するものとされてもよい。
【００２９】
テラヘルツ送信器１１，１２は、光ビート信号をテラヘルツ波へと変換する光電デバイスである。そのため、システム１はビート信号生成源３を備える。ビート信号生成源３は、周波数が互いに僅かにずれた光放射（λ１，λ２）をそれぞれ生成する第１および第２のレーザ３１，３２を含む。レーザ３１，３２の光放射は、光伝送装置４の光ファイバ４１，４２へと結合されて合成器４３で重畳される。合成された信号のうちの第１の部分ＣＳ１は光ファイバ４４を介してテラヘルツ送信器１１，１２に供給されて、第２の部分ＣＳ２は光ファイバ４５を介してテラヘルツ受信手段１３に供給される。前記合成された信号のうちの第１の部分ＣＳ１は２つのサブ部分ＣＳＳＰ１，ＣＳＳＰ２に分割されて、第１および第２のテラヘルツ送信器１１，１２にそれぞれ供給される。
【００３０】
テラヘルツ送信器１１，１２は、それぞれ信号ＣＳＳＰ１，ＣＳＳＰ２を受け取ると従来技術から原理が知られているテラヘルツ放射を生成する。テラヘルツ受信手段１３は、テラヘルツ波及び前記合成された信号のうちの部分ＣＳ２を受け取ると電気信号を生成する。ビート信号生成源３、送信器１１，１２、受信手段１３等の基本設計は、例えば前述した米国特許出願公開第２０１０／００８０５０５号明細書、欧州特許出願公開第２５０９１７３号明細書等に記載されている。
【００３１】
第１および第２のテラヘルツ送信器１１，１２により放射された第１および第２のテラヘルツ波Ｔ１，Ｔ２は、前記受信器信号のうちの第１のテラヘルツ波Ｔ１により惹起された部分（例えば、第１のテラヘルツ送信器１１により生成されたテラヘルツ波Ｔ１の反射および／または透過した部分等）と、前記受信器信号のうちの第２のテラヘルツ波Ｔ２により惹起された部分（例えば、第２のテラヘルツ送信器１２により生成されたテラヘルツ波Ｔ２の反射および／または透過した部分等）とを区別することを可能にする識別子を保持する。当該識別子は、第１および第２のテラヘルツ波Ｔ１，Ｔ２を変調することによって実現可能である。すなわち、放射されたテラヘルツ波Ｔ１，Ｔ２は変調された搬送波を有し、相異なる変調周波数などの相異なる変調パラメータが使用されている。
【００３２】
第１および第２のテラヘルツ波Ｔ１，Ｔ２のこのような相異なる変調は前記受信器信号にも現れ、当該受信器信号を復調することにより、当該受信器信号のうちの第１のテラヘルツ波Ｔ１に由来する部分が当該受信器信号のうちの第２のテラヘルツ波Ｔ２に由来する部分から分離されることが可能である。テラヘルツ送信手段１１，１２と受信手段１３との幾何学的関係（例えば、送信手段１１，１２と受信手段１３との距離、テラヘルツ波Ｔ１，Ｔ２の伝播方向等）が既知であることから、テラヘルツ波Ｔ１，Ｔ２とＤＵＴ２との相互作用の位置も既知である。これにより、前記受信器信号のうちの相異なる部分がＤＵＴ２の相異なる位置に対応付けられ得る。そのため、前記受信器信号を用いて特定されたＤＵＴ２の特徴（特性）が当該ＤＵＴ２における所与の位置に対応付けられることが可能である。このようにシステム１を使用することにより、前述したようにＤＵＴ２の輪郭や、他の幾何学的パラメータを特定することが可能になる。例えば、ＤＵＴ２の二次元又は（例えば、断層撮影のような）三次元画像再構成を生成することが可能である。
【００３３】
図示の本発明の実施形態はテラヘルツ波Ｔ１，Ｔ２の光電生成に関するものであるが、当然ながら本発明は、特定のテラヘルツ波生成手法に限定されない。例えば、本発明にかかるシステムは、完全に電気的な送信器および／または受信器を使用するものとされてもよい。
なお、本発明は、実施の態様として以下の内容を含む。
〔態様１〕
物体又は試料の特性を特定するシステムであって、
−少なくとも第１および第２の送信手段（１１，１２）であって、前記第１の送信手段（１１）は第１の電磁波（Ｔ１）を前記物体（２）に向けて送信するように構成され、前記第２の送信手段（１２）は第２の電磁波（Ｔ２）を前記物体（２）に向けて送信するように構成されている、少なくとも第１および第２の送信手段（１１，１２）と、
−前記物体（２）からの電磁波を受信する少なくとも１つの受信手段（１３）であって、当該受信手段（１３）は前記物体（２）からの前記電磁波を受信すると受信器信号を生成する、少なくとも１つの受信手段（１３）と、
を備え、
−前記第１および前記第２の送信手段（１１，１２）は、前記受信器信号のうちの前記第１の電磁波（Ｔ１）により惹起された部分が前記受信器信号のうちの前記第２の電磁波（Ｔ２）により惹起された部分から前記受信器信号を復調することによって分離可能であるように、前記第１および前記第２の電磁波（Ｔ１，Ｔ２）が相異なって変調されるように構成されている、システムにおいて、さらに、
−前記受信器信号を用いて前記物体（２）の二次元と三次元のいずれか一方または両方の再構成を生成するように構成された評価手段、
を備えることを特徴とする、システム。
〔態様２〕
態様１に記載のシステムにおいて、前記第１の送信手段（１１）は前記第１の電磁波（Ｔ１）が第１の変調周波数で変調されるように構成され、前記第２の送信手段（１２）は前記第２の電磁波（Ｔ２）が第２の変調周波数で変調されるように構成され、前記第１の変調周波数が前記第２の変調周波数とは異なる、システム。
〔態様３〕
態様１または２に記載のシステムにおいて、前記第１および前記第２の送信手段（１１，１２）は、前記第１の電磁波（Ｔ１）と前記第２の電磁波（Ｔ２）のいずれか一方または両方が、振幅、周波数および位相のいずれか１つまたは任意の組合せについて変調されるように構成されている、システム。
〔態様４〕
態様１から３のいずれか一態様に記載のシステムにおいて、前記第１の電磁波（Ｔ１）と前記第２の電磁波（Ｔ２）のいずれか一方または両方が、テラヘルツ波を生成するように構成されている、システム。
〔態様５〕
態様１から４のいずれか一態様に記載のシステムにおいて、前記第１の電磁波（Ｔ１）が第１の連続電磁波を送信するように構成され、さらに、または、代わりに、前記第２の電磁波（Ｔ２）が、第２の連続電磁波を送信するように構成されている、システム。
〔態様６〕
態様１から５のいずれか一態様に記載のシステムにおいて、さらに、
前記受信器信号を復調する復調装置、
を備える、システム。
〔態様７〕
態様１から６のいずれか一態様に記載のシステムにおいて、さらに、
光ビート信号を生成するビート信号生成源（３）、
を備える、システム。
〔態様８〕
態様７に記載のシステムにおいて、さらに、
前記光ビート信号を、前記第１の送信手段（１１）、前記第２の送信手段および前記受信手段（１３）のいずれか１つまたは任意の組合せに伝送する光伝送装置（４）、
を備える、システム。
〔態様９〕
態様１から８のいずれか一態様に記載のシステムにおいて、前記第１および前記第２の送信手段（１１，１２）と前記受信手段（１３）のいずれか一方または両方が、さらなる送信手段と受信手段のいずれか一方または両方を含むアレイに属する、システム。
〔態様１０〕
物体又は試料の特性を（特には態様１から９の少なくとも１つの態様に記載のシステムを用いて）特定する方法であって、
−第１の電磁波（Ｔ１）を前記物体（２）に向けて送信する過程と、
−第２の電磁波（Ｔ２）を前記物体（２）に向けて送信する過程と、
−前記物体（２）からの電磁波を受信して、前記物体（２）からの当該電磁波を受信すると受信器信号を生成する過程と、
−前記受信器信号のうちの前記第１の電磁波（Ｔ１）により惹起された部分が前記受信器信号のうちの前記第２の電磁波（Ｔ２）により惹起された部分から前記受信器信号を復調することによって分離可能であるように、前記第１および前記第２の電磁波（Ｔ１，Ｔ２）を相異なって変調する過程と、
を備える、方法において、さらに、
−前記受信器信号を用いて前記物体（２）の二次元と三次元のいずれか一方または両方の再構成を生成する過程、
を備えることを特徴とする、方法。
【図１】
0006799599.tif 000002